(57)【要約】【課題】少ないキーワード入力によって利用者の視聴したいコンテンツを検索することを可能にする映像情報検索表示装置を提供する。【解決手段】人名を含むキーワード入力に従って前記コンテンツデータベースから該当するコンテンツを抽出する抽出手段と、コンテンツに付随する人物の人名と当該人物の役割とからなる人物役割組データを順に記憶する人物役割組データ記憶手段と、該人物役割組データに従った形態で該抽出したコンテンツを表示することを特徴とする。【選択図】図７
2008003764.tif 000002
【特許請求の範囲】
【請求項１】
コンテンツデータベースから指定された人名に対応するコンテンツを抽出しかつ抽出されたコンテンツに応じて映像表示をする映像情報検索表示装置であって、
前記人名を含むキーワード入力に従って前記コンテンツデータベースから該当するコンテンツを抽出する抽出手段と、
当該抽出したコンテンツの内容に応じて映像表示をする映像表示手段と、
前記映像表示手段によって再生もしくは内容表示されたコンテンツに付随する人物の人名と当該人物の役割とからなる人物役割組データを順に記憶する人物役割組データ記憶手段と、を備え、
前記映像表示手段は、前記人物役割組データに従った形態で前記抽出したコンテンツを表示することを特徴とする映像情報検索表示装置。
【請求項２】
前記人物役割組データ記憶手段は、前記人物役割組データの到来順に応じて優先順位を付与し、
前記映像表示手段は前記優先順位に従った形態で前記抽出したコンテンツを表示することを特徴とする映像情報検索表示装置。
【請求項３】
コンテンツデータベースから指定された人名に対応するコンテンツを抽出しかつ抽出されたコンテンツに応じて映像表示をする映像情報検索表示方法であって、
前記人名を含むキーワード入力に従って前記コンテンツデータベースから該当するコンテンツを抽出する抽出ステップと、
当該抽出したコンテンツの内容に応じて映像表示をする映像表示ステップと、
前記映像表示ステップによって再生もしくは内容表示されたコンテンツに付随する人物の人名と該当人物の役割とからなる人物役割組データを順に記憶する人物役割組データ記憶ステップと、を備え、
前記映像表示ステップは、前記人物役割組データに従った形態で前記抽出したコンテンツを表示することを特徴とする映像情報検索表示方法。
【請求項４】
前記人物役割組データ記憶ステップは、前記人物役割組データの到来順に応じて優先順位を付与し、
前記映像表示ステップは、前記優先順位に従った形態で前記抽出したコンテンツを表示することを特徴とする映像情報検索表示方法。
【発明の詳細な説明】
【技術分野】
【０００１】
本発明は、映像配信システムに関し、特にコンテンツを検索し、その結果を表示する映像情報検索表示装置に関する。
【背景技術】
【０００２】
映画、ニュース等のコンテンツを利用者の要求に応じて配信するシステムとしてビデオオンデマンドシステムが注目されている。ビデオオンデマンドシステムはサーバに数千本、数万本のコンテンツを蓄積しておき、利用者の要求に応じて配信するものである。利用者はこの数千本、数万本のコンテンツの中から視聴したいコンテンツを探し出す必要がある。そのための検索方法として、特表２００３−５１８８２９号には、コンテンツのタイトル、俳優、監督といった索引化された属性及びキーワードによりデータベースを検索する方法が記載されている。タイトルあるいは、俳優、監督、キーワードなどのいずれの属性で検索するかを選択し、カテゴリ、検索文字列を入力し、入力された条件に従ってデータベースを検索し、該当するコンテンツを表示する方法が提供されている。
【特許文献１】特表２００３−５１８８２９号公報
【発明の開示】
【発明が解決しようとする課題】
【０００３】
上記のような検索方法では、検索に用いる属性を選択し、その後、検索文字列を入力している。そのため、属性の数が多い場合、メニューの選択肢が増え、操作が煩雑になる。また、属性の数を追加した場合にはそのままでは対応できず、装置の構成を変更する必要がある。
【０００４】
本発明は上記した点に鑑みてなされたものであり、検索に用いる属性が多い場合でも簡単な操作で利用者が視聴したいコンテンツを特定できるとともに、属性が追加された場合でも装置の構成を変更する必要のない映像情報検索表示装置を提供することを目的とする。
【課題を解決するための手段】
【０００５】
本発明による映像情報検索表示装置は、人名を含むキーワード入力に従って前記コンテンツデータベースから該当するコンテンツを抽出する抽出手段と、当該抽出したコンテンツの内容に応じて映像表示をする映像表示手段と、該映像表示手段によって再生もしくは内容表示されたコンテンツに付随する人物の人名と当該人物の役割とからなる人物役割組データを順に記憶する人物役割組データ記憶手段と、を備え、該映像表示手段は、該人物役割組データに従った形態で前記抽出したコンテンツを表示することを特徴とする。
【０００６】
また、本発明による映像情報検索表示方法は、人名を含むキーワード入力に従って前記コンテンツデータベースから該当するコンテンツを抽出する抽出ステップと、当該抽出したコンテンツの内容に応じて映像表示をする映像表示ステップと、該映像表示ステップによって再生もしくは内容表示されたコンテンツに付随する人物の人名と該当人物の役割とからなる人物役割組データを順に記憶する人物役割組データ記憶ステップと、を備え、該映像表示ステップは、前記人物役割組データに従った形態で前記抽出したコンテンツを表示することを特徴とする。
【発明の効果】
【０００７】
本発明の映像情報検索表示装置および映像情報検索表示方法によれば、人物役割組データを利用してコンテンツを表示することにより、コンテンツ自体の属性を詳細に指定するという操作をせずに、利用者の興味のあるコンテンツをすばやく見つけることが可能となり、コンテンツの特定が容易に行える。
【発明を実施するための形態】
【０００８】
以下、本発明の実施例について図面を用いて詳細に説明する。
【０００９】
図１は、本発明に係る映像配信システムの実施例を示す図である。コンテンツデータベース１には、コンテンツに付随する情報が記述されているメタデータが蓄積されている。コンテンツデータベース１は、コンテンツサーバ２と接続されている。このコンテンツサーバ２は、映像情報検索表示装置４からの要求に従ってコンテンツデータベース１を検索し、その結果を映像情報検索表示装置４に送信する。ネットワーク３は、インターネットなどの公共のネットワーク、あるいは、プライベートネットワークである。このネットワーク３にコンテンツサーバ２と映像情報検索表示装置４が接続されている。映像情報検索表示装置４は、利用者が直接使用するものであり、コンテンツの検索や再生を行うための装置である。表示装置５は、映像情報検索表示装置４からの映像を表示するための装置であり、映像情報検索表示装置４と接続されている。
【００１０】
次にコンテンツを検索する方法について説明する。映像情報検索表示装置４は、コンテンツサーバ２から提供されるメニューに基づいて検索画面を表示する。図２は検索画面の例を示す図である。画面タイトル２１は、この画面がどのカテゴリによってコンテンツ検索を行うかを選択する画面であることを示すものである。この図の例では、「タイトルで選ぶ」２２、「カテゴリで選ぶ」２３、「人名で選ぶ」２４の各ボタンにより選択肢が与えられている。利用者は、この選択肢の中から、リモコン等の操作によって、希望する選択肢を選ぶことができる。以下では「人名で選ぶ」２４を選択した場合の動作を説明する。図２においてボタン「人名で選ぶ」２４に移動し、リモコンの決定ボタンを押すと、検索したい人名の一部あるいは全部を入力する画面へ移動する。
【００１１】
図３は、検索文字列入力画面の例を示す図である。この図に示した画面は、画面タイトル３１、テキスト欄３２、検索ボタン３３、五十音配列ボタン群３４、からなる。画面タイトル３１は、出演者、スタッフ等の「人名で選ぶ」ための検索文字列入力画面であることを示すものである。テキスト欄３２は、入力した文字列を表示するためのものであり、検索ボタン３３は、入力した文字列を検索文字列として検索実行をコンテンツサーバ２に要求するためのものである。五十音配列ボタン群３４は、入力する文字を指定するためのものである。画面上で五十音配列ボタン群３４の中から入力したい文字のボタンを選択し、リモコンの決定ボタンを押すと選択された文字がテキスト欄３２へ表示される。テキスト欄３２に既に入力された文字列があるときは最後の文字に引き続き選択された文字が表示される。このようにして検索したい文字列の一部あるいは全部を入力する。その後、検索ボタン３３に移動し、リモコンの決定ボタンを押すことにより、コンテンツサーバ２にテキスト欄３２に表示された検索文字列でコンテンツに付随する人名を検索する要求が送信される。
【００１２】
コンテンツサーバ２は、映像情報検索表示装置４から検索要求が送信されると、指定された検索文字列を含む人名をコンテンツデータベース１から検索する。
【００１３】
図４は、コンテンツデータベース１に保存されているコンテンツのメタデータの表現方法の一例である。本発明と関係のある情報を（１）の<CreditsList>タグで表現している。（２）は<CreditsItem>タグである。role="urn:vod:RoleId:01"の部分は、この<CreditsItem>タグに含まれる情報がどの役割を有しているかを記述しているrole属性である。role属性はURNによって指定されている。この例では、URNは"urn:vod:RoleId:01"であり、最後の数字が役割を表している。（３）の<PersonName>タグは、名前を指定するタグである。属性typeの"main"は、表示文字列であることを示しており、（４）の<mpeg7:GivenName>タグで名前の表示文字列を指定している。（６）は（３）と同様のタグである。属性typeの"variant"は、表示文字列の読みであることを示しており、（７）で表示文字列の読みを指定している。配信されるコンテンツにはメタデータが付与され、コンテンツデータベース１に蓄積されている。
【００１４】
コンテンツサーバ２は、検索要求が送信されてくると、コンテンツデータベース１のコンテンツのメタデータの中から検索文字列と表示文字列の読みが部分一致あるいは完全一致する名前を検索する。検索完了後、検索文字列と一致した人名の列を映像情報検索表示装置４へ送信する。
【００１５】
映像情報検索表示装置４は、コンテンツサーバ２から送信された人名の列を人名候補一覧の形で表示する。図５は、人名候補一覧画面の例を示す図であり、図３の画面で入力した検索文字列に一致した人名の候補を一覧表示している。画面タイトル５１は、入力された文字列と人名の検索結果であることを示している。人名候補一覧５２は、検索文字列に一致した人名を一覧形式で表示している。一画面で表示できない場合は、スクロールや、ページ切り替え等の方法により全ての人名を表示することも出来る。利用者は、この人名候補一覧５２の中からリモコン等の操作により、望む人名に移動し、決定ボタンを押す。決定ボタンが押されると、映像情報検索表示装置４からコンテンツサーバ２へ選択された人名と人名によるコンテンツ検索要求が送信される。
【００１６】
映像情報検索表示装置４から人名と人名によるコンテンツ検索要求が送信されてくると、コンテンツサーバ２は送信されてきた人名とコンテンツに付随する人名が完全一致するコンテンツをコンテンツデータベース１から検索する。検索完了後、その結果を映像情報検索表示装置４へ送信する。このときは、選択された人名を持つ人物の役割によらず、人名が一致したすべてのコンテンツの情報を送信する。送信されるコンテンツの情報は、コンテンツのタイトル、人名、役割を含む。  映像情報検索表示装置４は、コンテンツサーバ２から送信されたコンテンツの情報を人物役割組データの内容に従って並べ替えて表示する。人物役割組データは人名とその人名を持つ人物の役割とを組にしたものである。図６に人物役割組データの内容の例を示す。
【００１７】
人名が選択されてからコンテンツの再生もしくは内容表示がされるまでの映像情報検索表示装置４の動作を図７に、コンテンツサーバ２より送信されるコンテンツ検索結果の例を図８に示す。
【００１８】
図５に示された人名候補一覧から、２番目に表示された「○野○吉」が選択されたとする。人名が選択されると映像情報検索表示装置４は選択された人名「○野○吉」と人名による検索要求をコンテンツサーバ２へ送信する（ステップ７０１）。コンテンツサーバ２は、コンテンツデータベース１を検索し、「○野○吉」が人名として含まれる全てのコンテンツの情報を送信する。映像情報検索表示装置４はコンテンツサーバ２から送信されたコンテンツ検索結果を受信する（ステップ７０２）。送信されてきたコンテンツ検索結果の受信が完了したら（ステップ７０３）、人物役割組データの中に一致する人名があるか検索する（ステップ７０４）。このときの人物役割組データの内容が図６の状態であったとする。映像情報検索表示装置４は「○野○吉」で人物役割組データを検索する。一致した人物役割組データの中で優先順位の最も高いデータの役割を調べる（ステップ７０５）。図５の場合、番地の若い順に優先順位が高くなっているので、優先順位の最も高い人物役割組データの役割は「監督」である。次に、コンテンツサーバ２から受信したコンテンツ検索結果の中から人名「○野○吉」に対応する役割が「監督」であるコンテンツのタイトルが上位に表示されるように検索結果を並べ替える（ステップ７０６）。そして、並べ替えた順序に従って検索結果を表示する（ステップ７０７）。この実施例ではコンテンツ検索結果が図８の内容であったとする。この中から、人名「○野○吉」に対応する役割が「監督」であるコンテンツのタイトルが上位になるように並べ替えて表示する。その結果、図９に示されるコンテンツ検索結果が表示される。人名「○野○吉」が選択されたので画面タイトル９１にはその名前が表示されている。タイトル一覧９２には、人名「○野○吉」を持つ人物の役割が「監督」であるコンテンツが上位に表示され、人名「○野○吉」を持つ人物の役割が「監督」以外のコンテンツが下位に表示されている。
【００１９】
選択された人名「○野○吉」が人物役割組データに存在しない場合は、コンテンツサーバ２から送信されたコンテンツ検索結果をそのまま表示する。尚、選択された人名「○野○吉」が人物役割組データに存在しない場合にコンテンツ検索結果を表示する方法としては、コンテンツのタイトル名順にソートして表示する方法等もある。
【００２０】
次に人物役割組データの記憶方法について説明する。図９のコンテンツタイトルの中から、リモコン等により利用者が視聴したいコンテンツタイトルへ移動し、決定ボタンを押し、コンテンツを選択する。コンテンツが選択されるとそのコンテンツの再生、もしくは、内容の表示が行われる。それと同時に選択されたコンテンツに付随する人名とそれに対応する人物の役割の組を記憶する処理が実行される。
【００２１】
コンテンツが選択されると（ステップ７０８）、記憶する人名と役割の組が人物役割データに存在するかどうかを確認する（ステップ７０９）。このときすでに人名と役割の組のデータが存在する場合は、そのデータを削除する（ステップ７１０）。次に、既存の人物役割組データの番地をひとつずつ繰り下げる（ステップ７１１）。番地１の人物役割組データは番地２になり、番地２の人物役割組データは番地３になり、以下ひとつずつ番地が繰り下がる。そして、記憶領域の番地１に選択されたコンテンツの人名と役割の組を記憶する（ステップ７１２）。人名と役割の組のデータが存在しない場合は、既存の人物役割組データの番地をひとつずつ繰り下げ、記憶領域の番地１に選択されたコンテンツの人名と役割の組を記憶する。
【００２２】
人物役割組データの内容が図６の状態であったときに、図９の画面でタイトル「奇妙なおよばれ」を持つコンテンツが選択されたとする。このとき選択されたコンテンツは人名「○野○吉」と役割「主演」を持つ。そのため、人物役割組データの中の人名「○野○吉」と役割「主演」の組のデータが削除され、人名「○野○吉」と役割「主演」の組のデータが新たに番地１に記憶される。既存の人物役割組データはひとつずつ番地が繰り下げられて記憶される。タイトル「奇妙なおよばれ」を持つコンテンツが選択された後の人物役割組データの内容を図１０に示す。
【００２３】
ここでは、人物役割組データの優先順位として番地を利用する例を説明したが、それ以外にも優先順位を記憶する領域を設ける方法等もある。また、優先順位のつけ方として、この例では最後に利用された人物と役割の組に最も高い優先順位をつける方法を説明したが、それ以外にも、最も頻繁に利用されている役割を持つ人物役割組データに最も高い優先順位をつける方法等もある。
【００２４】
以上説明したように本発明の映像情報検索表示装置によれば、人物役割組データを利用してコンテンツを表示することにより、コンテンツ自体の属性を詳細に指定するという操作をせずに、利用者の興味のあるコンテンツをすばやく見つけることが可能になり、コンテンツの特定が容易に行える。
【００２５】
また、コンテンツの特定に使用する役割が追加されその数が増えた場合でも、装置の構成を変更することなく対応できる。
【００２６】
尚、本発明は、映像コンテンツについて説明したが、歌手、作詞家などの役割を持つ音楽コンテンツ等、役割情報を持つ全てのコンテンツに対して適用可能である。
【図面の簡単な説明】
【００２７】
【図１】本発明の実施例である映像情報検索表示装置を用いた映像配信システムを示すブロック図である。
【図２】本発明による映像情報検索表示装置で表示される検索画面例を示す図である。
【図３】本発明による映像情報検索表示装置で表示される検索文字列入力画面例を示す図である。
【図４】本発明によるコンテンツのメタデータの例を示すリストである。
【図５】本発明による映像情報検索表示装置で表示される人名候補一覧画面例を示す図である。
【図６】本発明による映像情報検索表示装置の人物役割組データの例を示す図である。
【図７】本発明による映像情報検索表示装置のコンテンツ検索の動作を示すフローチャートである。
【図８】本発明による映像情報検索表示装置が受信したコンテンツの内容例を示す図である。
【図９】本発明による映像情報検索表示装置で表示されるコンテンツ検索結果画面例を示す図である。
【図１０】本発明による映像情報検索表示装置の人物役割組データの例を示す図である。
【符号の説明】
【００２８】
１  コンテンツデータベース
２  コンテンツサーバ
３  ネットワーク
４  映像情報検索表示装置
５  表示装置
２１、３１、５１、９１  画面タイトル
２２、２３、２４、３３、３４  ボタン
３２  テキスト欄
５２  人名候補一覧
９２  タイトル一覧
【図１】
2008003764.tif 000003
【図２】
2008003764.tif 000004
【図３】
2008003764.tif 000005
【図４】
2008003764.tif 000006
【図５】
2008003764.tif 000007
【図６】
2008003764.tif 000008
【図７】
2008003764.tif 000009
【図８】
2008003764.tif 000010
【図９】
2008003764.tif 000011
【図１０】
2008003764.tif 000012